(57)【要約】 挿入部と、挿入部の第１の先端面１０ｓから前方に突出した突出部１と、突出部１の第２の先端面１ｓに臨むよう設けられた前方観察用レンズ７と、突出部１の外周側面１ｖｇに沿って受光面５ｊが臨むよう設けられた兼用レンズ５と、第１の先端面１０ｓに臨むよう設けられた第１の前方照明用レンズ１２と、兼用レンズ５の先端側の端部５ｔと、第１の前方照明用レンズ１２における径方向Ｋの外側の端部１２ａｔとを直線に結ぶ仮想線Ｑ上に位置する、第１の前方照明用レンズ１２から照射された照明光が兼用レンズ５の受光面５ｊに入光してしまうのを防止する遮光部２０ｍとを具備していることを特徴とする。
2012005049.tif 000002
【特許請求の範囲】
【請求項１】
被検体内に挿入される挿入部と、
前記挿入部の挿入方向先端側の先端部の第１の先端面から、前記挿入方向前方に突出した突出部と、
前記突出部内において、該突出部の前記挿入方向先端側の第２の先端面に臨むよう設けられた、前記第２の先端面よりも前記挿入方向前方に位置する前記被検体の第１の被検部位を観察する前方観察用レンズと、
前記突出部内において、前記前方観察用レンズよりも前記挿入方向後方において受光面が前記突出部の外周側面に沿って臨むよう設けられた、前記前方観察用レンズとともに前記第１の被検部位を観察するとともに、前記外周側面の周囲に対向して位置する前記被検体の第２の被検部位を観察する前方側方観察兼用レンズと、
前記先端部において、前記第１の先端面に臨むよう設けられた前記第１の被検部位を照明する第１の前方照明用レンズと、
前記外周側面に臨む前記前方側方観察兼用レンズの前記挿入方向先端側の端部と、前記第１の前方照明用レンズにおける前記先端部の径方向外側の端部とを直線に結ぶ仮想線上に位置する、前記第１の前方照明用レンズから照射された照明光が、前記前方側方観察兼用レンズの前記受光面に入光してしまうのを防止する遮光部と、
を具備している内視鏡。
【請求項２】
前記突出部内において、前記第２の先端面に臨むよう設けられた、前記第１の被検部位を照明する第２の前方照明用レンズをさらに具備している請求項１に記載の内視鏡。
【請求項３】
前記第１の前方照明用レンズは、前記第１の先端面において、前記挿入方向に沿って形成された嵌入孔内に嵌入されて位置しており、
前記遮光部は、前記嵌入孔の前記径方向内側に位置する開口端部に構成されている請求項１または２に記載の内視鏡。
【請求項４】
前記第１の先端面は、前記突出部から前記第１の前方照明用レンズに向かって傾斜する傾斜面に形成されている請求項３に記載の内視鏡。
【請求項５】
前記突出部内において、前記前方側方観察兼用レンズよりも前記挿入方向後方において前記突出部の前記外周側面に臨むよう設けられた、前記第２の被検部位を照明する側方照明用レンズをさらに具備し、
前記側方照明用レンズは、レンズ枠に固定されており、該レンズ枠に、前記遮光部が構成されている請求項１または２に記載の内視鏡。
【請求項６】
前記第１の前方照明用レンズは、前記側方照明用レンズと一体的に形成されている請求項５に記載の内視鏡。
【発明の詳細な説明】
【技術分野】
【０００１】
本発明は、前方観察用レンズと、前方側方観察兼用レンズとを具備する内視鏡に関する。
【背景技術】
【０００２】
近年、内視鏡は、医療分野及び工業用分野において広く利用されている。内視鏡は、細長い挿入部を被検体内に挿入することによって被検体内を観察することができる。【０００３】
尚、内視鏡としては、挿入部の先端側に設けられた先端部の先端面に、観察用レンズや照明用レンズが設けられた既知の直視型の内視鏡や、挿入部の先端部の側面の一部に、観察用レンズや照明用レンズが設けられた既知の側視型の内視鏡が周知である。【０００４】
また、近年、観察範囲を広げるため、挿入部の先端部よりも前方の視野のみならず、先端部の外周側面の周囲に沿って側方に位置する周囲方向視野までも同時に観察することができる内視鏡も周知である。【０００５】
前方に加え側方周囲も観察できる内視鏡は、通常、挿入部の先端部の先端面から前方に突出する突出部を有し、該突出部内において突出部の先端面に臨むように、前方を観察する前方観察用レンズが設けられ、突出部内において、前方観察用レンズの後方に、突出部の外周側面に沿って該外周側面に受光面が周状に臨むように周囲方向観察用のレンズが設けられた構成が周知である。【０００６】
また、先端部内には、周囲方向観察用レンズよりも後方にレンズ群が位置しており、該レンズ群の集光位置に、例えばＣＣＤ等の撮像素子が位置している。【０００７】
先端面よりも前方に位置する被検部位は、前方観察用レンズによって観察され、前方観察用レンズに入光された光が周囲方向観察用レンズを通過して、後方レンズ群により撮像素子に結像される構成となっている。【０００８】
また、突出部の周囲方向に位置する被検部位は、周囲方向観察用レンズによって観察され、周囲方向観察用レンズに入光された光は、該周囲方向観察用レンズの前方位置に設けられたミラー等によって、該レンズ内において複数回反射された後、後方レンズ群により撮像素子に結像される構成となっている。【０００９】
このことにより、挿入部の先端部よりも前方の視野のみならず、周囲方向視野までも同時に観察することができる。尚、周囲方向観察用レンズは、上述したように前方の観察にも用いられるため、前方側方観察兼用のレンズとなっている。【００１０】
さらに、先端部の先端面には、前方に位置する被検部位を照明する第１の照明用レンズが設けられており、また、突出部の先端面にも、前方に位置する被検部位への照明光の配光を向上させるため、該前方の被検部位を第１の照明用レンズとともに照明する第２の照明用レンズが設けられている。【００１１】
尚、突出部の先端面に第２の照明用レンズが設けられ、突出部内には、該第２の照明用レンズに照明光を供給する既知のライトガイドが挿入されている。このことにより、前方側方観察兼用レンズの周囲方向視野は、ライトガイドに対向する部位のみ遮られている。【００１２】
また、突出部の側面において前方側方観察兼用レンズよりも後方位置に、突出部の周囲方向に位置する被検部位を照明する側方照明用レンズが設けられている構成も周知である。【００１３】
尚、第１の照明用レンズ及び第２の照明用レンズは、突出部の先端面及び先端部の先端面を前方から平面視した際、前方観察用レンズを挟むよう配置されている。【００１４】
しかしながら、このように構成された前方に加え周囲方向も観察できる内視鏡においては、第１の照明用レンズから照射された照明光が、前方側方観察兼用レンズの受光面に入光してしまい、周囲方向視野内に、既知の飛び込みフレアが発生してしまうといった問題があった。【００１５】
よって、突出部の前方への突出長さを短くすることによって、第１の照明用レンズを前方観察兼用レンズよりも前方に設けることにより、第１の照明用レンズから照射された照明光の前方側方観察兼用レンズへの入光を防ぐ構成も考えられる。ところが、この場合、先端部を構成する部材により、前方観察用レンズの視野が一部遮られてしまうことから、周囲方向視野がその分だけさらに狭くなってしまうといった問題があった。【００１６】
このような問題に鑑み、国際公開ＷＯ２００６／４０８３号公報には、突出部の側面に位置する前方側方観察兼用レンズに、突出部の外径方向外側に張り出すミラーを設け、該ミラーによって、先端部の先端面に設けられた照明用レンズから照明された照明光の一部を反射させることにより、周囲方向視野を確保しつつ、前方側方観察兼用レンズの受光面に照明用レンズから照明された照明光が入光されてしまうことを防ぐ構成が開示されている。  
しかしながら、国際公開ＷＯ２００６／４０８３号公報に開示された構成においては、ミラーが突出部の外径方向外側に張り出して設けられているため、前方側方観察兼用レンズの周囲方向視野の一部が、ミラーによって遮られてしまう。このことから、周囲方向視野における撮像範囲が制限されてしまうといった問題がある他、照明用レンズから照射された照明光は、一部がミラーによって遮られてしまうため、前方に照明される照明光の照射範囲が制限されてしまうといった問題があった。【００１７】
本発明は、上記問題点に鑑みなされたものであり、前方の被検部位に十分な照明光を供給できるとともに、周囲方向視野が制限されることなく、照明光の前方側方観察兼用レンズへの入光を防ぐことができる構成を有する内視鏡を提供することを目的とする。
【発明の開示】
【課題を解決するための手段】
【００１８】
本発明の一態様における内視鏡は、被検体内に挿入される挿入部と、前記挿入部の挿入方向先端側の先端部の第１の先端面から、前記挿入方向前方に突出した突出部と、前記突出部内において、該突出部の前記挿入方向先端側の第２の先端面に臨むよう設けられた、前記第２の先端面よりも前記挿入方向前方に位置する前記被検体の第１の被検部位を観察する前方観察用レンズと、前記突出部内において、前記前方観察用レンズよりも前記挿入方向後方において受光面が前記突出部の外周側面に沿って臨むよう設けられた、前記前方観察用レンズとともに前記第１の被検部位を観察するとともに、前記外周側面の周囲に対向して位置する前記被検体の第２の被検部位を観察する前方側方観察兼用レンズと、前記先端部において、前記第１の先端面に臨むよう設けられた前記第１の被検部位を照明する第１の前方照明用レンズと、前記外周側面に臨む前記前方側方観察兼用レンズの前記挿入方向先端側の端部と、前記第１の前方照明用レンズにおける前記先端部の径方向外側の端部とを直線に結ぶ仮想線上に位置する、前記第１の前方照明用レンズから照射された照明光が、前記前方側方観察兼用レンズの前記受光面に入光してしまうのを防止する遮光部と、を具備する。
【図面の簡単な説明】
【００１９】
【図１】本実施の形態を示す内視鏡の構成の概略を示す図
【図２】図１の内視鏡の挿入部の先端側を拡大して示す部分斜視図
【図３】図２の挿入部の先端側を、図２中のIIIの方向からみた平面図
【図４】図３中のIV-IV線に沿う挿入部の先端側の部分断面図
【図５】図１の内視鏡挿入部によって観察される観察画像を示す図
【図６】第２実施の形態における内視鏡の挿入部の先端側を、前方からみた平面図
【図７】図６中のVII-VII線に沿う挿入部の先端側の部分断面図
【図８】第３実施の形態における内視鏡の挿入部の先端側を、前方からみた平面図
【図９】図８中のIX-IX線に沿う挿入部の先端側の部分断面図
【図１０Ａ】図４の第１の前方照明用レンズを構成する基端側のレンズを、先端側のレンズよりも径方向内側にオフセットして位置させた変形例を、挿入部の先端側を前方からみることにより示す平面図
【図１０Ｂ】図１０Ａ中のO1-02-E線に沿う部分断面図
【図１１】図１０の第１の前方照明用レンズのオフセット前と後とでの照射範囲の変化を示す図
【図１２】図１０のオフセット前後での第１の前方照明用レンズの配光特性を示す図表
【図１３】図４の第１の前方照明用レンズの先端側のレンズを、屈曲率の異なる２つのレンズで構成した変形例を、配光特性とともに示す図
【図１４】図４の先端側のレンズの基端面が斜面状にカットされている変形例を示す図
【図１５】硬質部材の先端に径方向内側に突出する突出部を設け、該突出部に前側レンズ枠を突き当てて前側レンズ枠の位置を固定することにより、前側レンズ枠に対して兼用レンズを固定する構造を概略的に示す部分断面図
【図１６】先端カバーの先端に径方向内側に突出する突出部を設け、該突出部に前側レンズ枠を突き当てて前側レンズ枠の位置を固定することにより、前側レンズ枠に対して兼用レンズを固定する構造を概略的に示す部分断面図
【図１７】図１５の硬質部材の突出部に対して、前側レンズ枠のフランジを押し付けることにより、前側レンズ枠を固定する構造を概略的に示す断面図
【図１８】図１７中のXVIII-XVIII線に沿う後側レンズ枠、側方照明用レンズ、側方照明用レンズの固定部材の断面図
【図１９】兼用レンズの基端側に、後側レンズ枠及び樹脂カバーを段差なく固定する構成を概略的に示す部分断面図
【図２０】兼用レンズの受光面に無効視野領域を設けた構成を概略的に示す部分断面図
【図２１Ａ】従来の兼用レンズに流体を供給するノズルの配置位置を、兼用レンズが設けられた挿入部の先端側にて示す斜視図
【図２１Ｂ】図２１Ａの上面図
【図２１Ｃ】図２１Ａの内視鏡挿入部によって観察される観察画像を示す図
【図２２Ａ】第１の突出部の外周側面と第２の突出部の外周側面との間の部位に凹みを設けた場合のノズルの配置位置を、兼用レンズが設けられた挿入部の先端側にて示す斜視図
【図２２Ｂ】図２２Ａの上面図
【図２２Ｃ】図２２Ａの内視鏡挿入部によって観察される観察画像を示す図
【図２３Ａ】第２の突出部の外周側面において、ノズルを図２０よりも径方向外側に設けた場合のノズルの配置位置を、兼用レンズが設けられた挿入部の先端側にて示す斜視図
【図２３Ｂ】図２３Ａの上面図
【図２３Ｃ】図２３Ａの内視鏡挿入部によって観察される観察画像を示す図
【図２４】前方観察用レンズ及び兼用レンズによって観察される観察画像を示す図
【図２５】観察画像の前方観察用レンズによって撮像された画像を表示する領域と、兼用レンズによって撮像された画像を表示する領域との間に、境界線を設けた例を示す図
【図２６】前方視野角よりも側方視野角を小さくすることによって、境界線を形成する構成を示す挿入部先端側の部分断面図
【図２７】マスクにより、境界線を形成する構成を示す挿入部先端側の部分断面図
【図２８】観察画像に、電気的に境界線を形成する構成を示すブロック図
【図２９】前方観察用レンズ及び兼用レンズによって観察される観察画像において、関心領域が、前方観察用レンズによって撮像された画像を表示する領域と兼用レンズによって撮像された画像を表示する領域とにまたがって位置する表示例を示す図
【図３０】図２９の観察画像において、前方観察用レンズによって撮像された画像を表示する領域と、兼用レンズによって撮像された画像を表示する領域との間に境界線を設け、該境界線に関心部位がまたがって位置する表示例を示す図
【図３１】観察画像から電気的に境界線を削除する構成を示すブロック図
【図３２】従来の第１の先端面における側方照明用レンズと第１の前方照明用レンズとの間の領域が平坦面に形成されている場合の内視鏡の先端側の構成の概略を示す部分断面図
【図３３】図３２よりも第１の先端面を後方に下げた場合の内視鏡の先端側の構成の概略を示す部分断面図
【図３４】図３３の第１の先端面における側方照明用レンズと第１の前方照明用レンズとの間の領域が斜面状に形成され、図３３よりも第１の前方照明用レンズの開口端部を前方に移動させた状態を概略的に示す部分断面図
【発明を実施するための最良の形態】
【００２０】
以下、図面を参照して本発明の実施の形態を説明する。尚、図面は模式的なものであり、各部材の厚みと幅との関係、それぞれの部材の厚みの比率などは現実のものとは異なることに留意すべきであり、図面の相互間においても互いの寸法の関係や比率が異なる部分が含まれていることは勿論である。【００２１】
（第１実施の形態）
図１は、本実施の形態を示す内視鏡の構成の概略を示す図、図２は、図１の内視鏡の挿入部の先端側を拡大して示す部分斜視図、図３は、図２の挿入部の先端側を、図２中のIIIの方向からみた平面図、図４は、図３中のIV-IV線に沿う挿入部の先端側の部分断面図、図５は、図１の内視鏡挿入部によって観察される観察画像を示す図である。  
さらに、図３２は、従来の第１の先端面における側方照明用レンズと第１の前方照明用レンズとの間の領域が平坦面に形成されている場合の内視鏡の先端側の構成の概略を示す部分断面図である。【００２２】
また、図３３は、図３２よりも第１の先端面を後方に下げた場合の内視鏡の先端側の構成の概略を示す部分断面図、図３４は、図３３の第１の先端面における側方照明用レンズと第１の前方照明用レンズとの間の領域が斜面状に形成され、図３３よりも第１の前方照明用レンズの開口端部を前方に移動させた状態を概略的に示す部分断面図である。【００２３】
図１に示すように、内視鏡１００は、被検体内に挿入される挿入部９３と、該挿入部９３の挿入方向Ｓの基端側（以下、単に基端側と称す）に設けられた操作部９４と、該操作部９４から延出されるユニバーサルコード９５と、該ユニバーサルコード９５の延出端に設けられたコネクタ９６とを具備して主要部が構成されている。【００２４】
尚、コネクタ９６が、既知の図示しない光源装置等に接続自在なことにより、内視鏡１００は、周辺装置に接続自在となっている。【００２５】
挿入部９３は、挿入方向Ｓの先端側（以下、単に先端側と称す）から順に、先端部１０と、湾曲部９１と、可撓管部９２とを具備して主要部が構成されている。【００２６】
図２〜図４に示すように、先端部１０の先端側の第１の先端面１０ｓから、挿入方向Ｓの前方（以下、単に前方と称す）に、断面略８の字形状を有する突出部１が突出されている。尚、突出部１は、先端部１０と一体的に形成されていても構わないし、別体に形成されていても構わない。【００２７】
突出部１は、略円柱形状を有する第１の突出部１ｖと、該第１の突出部１ｖに対して先端部１０の径方向Ｋにおいて並んで位置する多角柱形状を有する第２の突出部１ｗとから、断面略８の字状に形成されている。【００２８】
突出部１の先端側の第２の先端面１ｓ、具体的には、第１の突出部１ｖの先端側の第２の先端面である先端面１ｖｓに臨むように、該先端面１ｖｓよりも前方に位置する被検体の第１の被検部位を観察する前方観察用レンズ７が、第１の突出部１ｖ内に設けられた硬質部材２０に対し固定されて設けられている。尚、前方観察用レンズ７は、図４に示すように、観察範囲Ｔ１の視野角を有している。【００２９】
また、第２の突出部１ｗ内には、第２の前方照明用レンズ２が、該第２の前方照明用レンズ２の内、先端側に位置するレンズ２ａが、第２の突出部１ｗの先端側の第２の先端面である先端面１ｗｓに臨むように設けられている。尚、第２の前方照明用レンズ２は、図４に示すように、照射範囲Ｐ２を有して第１の被検部位に照明光を照射する。【００３０】
図４に示すように、第２の前方照明用レンズ２は、レンズ２ａと該レンズ２ａよりも基端側に位置するレンズ２ｂとが、レンズ枠９によって保持された状態で、第２の突出部１ｗ内に設けられた硬質部材２０に固定されている。尚、第２の前方照明用レンズ２は、１つのレンズから構成されていても構わないし、３つ以上のレンズから構成されていても構わない。【００３１】
第２の前方照明用レンズ２のレンズ２ｂの基端面に、コネクタ９６、ユニバーサルコード９５、操作部９４、挿入部９３内に挿通された、ライトガイド１６の先端面が対向して位置している。【００３２】
よって、コネクタ９６が光源装置に接続され、該光源装置から照明光が供給されると、該照明光は、ライトガイド１６を介して第２の前方照明用レンズ２に供給され、該第２の前方照明用レンズ２により、第１の被検部位に拡開照射される。【００３３】
また、図２、図３に示すように、第２の突出部１ｗの先端面１ｗｓにおいて、第２の前方照明用レンズ２のレンズ２ａの近傍に、前方観察用レンズ７に流体を供給することにより、前方観察用レンズ７を洗浄するノズル３が設けられている。【００３４】
また、第１の突出部１ｖ内において、前方観察用レンズ７よりも挿入方向Ｓの後方（以下、単に後方と称す）において、円柱形状を有する前方側方観察兼用レンズ（以下、単に兼用レンズと称す）５が、受光面５ｊが第１の突出部１ｖの外周側面１ｖｇの周方向Ｒに沿って臨むように、即ち、受光面５ｊが外周側面１ｖｇに露出されるように、第１の突出部１ｖ内に設けられた硬質部材２０に固定されて設けられている。【００３５】
兼用レンズ５は、前方観察用レンズ７とともに第１の被検部位を観察するとともに、第１の突出部１ｖの外周側面１ｖｇの周囲に対向して位置する被検体の第２の被検部位を観察するものである。即ち、上述した周囲方向視野を有するものである。尚、兼用レンズ５は、図４に示すように、観察範囲Ｔ２の視野角を有している。【００３６】
また、兼用レンズ５の受光面５ｊは、第１の突出部１ｖの外周側面１ｖｇのみに露出されているため、第２の突出部１ｗの外周側面１ｗｇには露出されておらず、また、第２の突出部１ｗに対して第１の突出部１ｖが接合されている部位においては、第２の突出部１ｗによって隠されてしまうため、外周側面１ｖｇに露出されていない。【００３７】
また、図２、図３に示すように、兼用レンズ５は、第２の突出部１ｗの外周側面１ｗｇに複数設けられた、兼用レンズ５に流体を供給するノズル４によって洗浄されるようになっている。【００３８】
図２〜図４に示すように、第１の突出部１ｖ内において、兼用レンズ５よりも後方に、外周側面１ｖｇに臨むよう、第２の被検部位を照明する側方照明用レンズ６が、第１の突出部１ｖ内の硬質部材２０に固定されて複数設けられている。尚、側方照明用レンズ６は、図４に示すように、照射範囲Ｐ３を有して第２の被検部位に照明光を照射する。【００３９】
側方照明用レンズ６の基端面に、コネクタ９６、ユニバーサルコード９５、操作部９４、挿入部９３内に挿通された、ライトガイド１４の先端面が対向して位置している。【００４０】
よって、コネクタ９６が光源装置に接続され、該光源装置から照明光が供給されると、該照明光は、ライトガイド１４を介して側方照明用レンズ６に供給され、該側方照明用レンズ６により、第２の被検部位に拡開照射される。【００４１】
また、第１の突出部１ｖ内において、兼用レンズ５よりも後方における兼用レンズ５の結像位置に、複数のレンズ２２を保持するレンズ枠２１が固定されており、さらに、レンズ２２の結像位置に、ＣＣＤ等の撮像素子２３が固定されている。尚、レンズ２２、撮像素子２３は、先端部１０内に設けられていても構わない。【００４２】
このことにより、第１の被検部位の像は、前方観察用レンズ７に入光され、兼用レンズ５、レンズ２２を介して撮像素子２３に結像される。その結果、図５に示すように、モニタ上に、円形の領域Ａとして表示される。【００４３】
また、第２の被検部位の像は、兼用レンズ５に受光面５ｊを介して入光され、兼用レンズ５に設けられた図示しないミラー等によって複数回反射された後、レンズ２２を介して撮像素子２３に結像される。その結果、図５に示すように、モニタ上に、円形の領域Ａの外周に、環状の領域Ｂとして表示される。【００４４】
尚、第２の被検部位の像は、モニタ上において、領域Ｂに示すように、完全な環状とはならず、Ｃの領域だけ欠けて非表示となる。これは、上述したように、第１の突出部１ｖの外周側面１ｖｇに露出する兼用レンズ５の受光面５ｊにおいて、第１の突出部１ｖの第２の突出部１ｗに接合している部位は、第２の突出部１ｗにより隠されているためである。【００４５】
また、先端部１０の第１の先端面１０ｓに、挿入部９３内に設けられた、既知の処置具挿通用管路の開口１１が開口されている。【００４６】
さらに、先端部１０内に、第２の前方照明用レンズ２とともに、第１の被検部位を照明する第１の前方照明用レンズ１２の先端側に位置するレンズ１２ａが、第１の先端面１０ｓに臨むように設けられている。尚、第１の前方照明用レンズ１２は、図４に示すように、照射範囲Ｐ１を有して第１の被検部位に照明光を照射する。【００４７】
図４に示すように、第１の前方照明用レンズ１２は、レンズ１２ａと該レンズ１２ａよりも基端側においてレンズ１２ａと同軸上に位置するレンズ１２ｂとが、レンズ枠１３によって保持された状態で、先端部１０内に設けられた硬質部材２０に固定されている。【００４８】
具体的には、硬質部材２０において、挿入方向Ｓに沿って形成された第１の先端面１０ｓに開口を有する嵌入孔１０ｈ内に、レンズ１２ａ、レンズ１２ｂを保持するレンズ枠１３が嵌入されて固定されることにより、第１の前方照明用レンズ１２は、先端部１０内に設けられている。【００４９】
尚、第１の前方照明用レンズ１２は、１つのレンズから構成されていても構わないし、３つ以上のレンズから構成されていても構わない。【００５０】
ここで、図４に示すように、嵌入孔１０ｈの径方向Ｋの内側に位置する開口端部２０ｍは、第１の突出部１ｖの外周側面１ｖｇに臨む兼用レンズ５の受光面５ｊの先端側の端部５ｔと、第１の前方照明用レンズ１２におけるレンズ１２ａの径方向Ｋの外側の端部１２ａｔとを直線に結ぶ仮想線Ｑ上に位置していることにより、第１の前方照明用レンズ１２から照射された照明光が、兼用レンズ５に入光してしまうことが防がれている。【００５１】
言い換えれば、レンズ１２ａは、仮想線Ｑよりも後方に位置していることにより、開口端部２０ｍにより、第１の前方照明用レンズ１２から照射された照明光が、兼用レンズ５に入光してしまうことが防がれている。【００５２】
これは、第１の前方照明用レンズ１２から照射された照明光は、開口端部２０ｍによって遮られるためである。よって、本実施の形態においては、開口端部２０ｍは、遮光部を構成している。【００５３】
また、開口端部２０ｍは、第１の前方照明用レンズ１２の上述した照射範囲Ｐ１内に飛び出ないよう位置していることにより、第１の前方照明用レンズ１２の照射範囲Ｐ１を狭くしてしまうことがない。【００５４】
さらに、開口端部２０ｍは、兼用レンズ５の観察範囲Ｔ２外の領域に位置していることにより、第１の前方照明用レンズ１２が兼用レンズ５の観察範囲Ｔ２内に入ってしまうことがない。【００５５】
また、先端部１０の第１の先端面１０ｓにおいて、図３、図４に示すように、側方照明用レンズ６と第１の前方照明用レンズ１２との間の領域は、径方向Ｋの内側に位置する側方照明用レンズ６から径方向Ｋの外側に位置する第１の前方照明用レンズ１２に向かって、開口端部２０ｍが、側方照明用レンズ６よりも後方に位置するよう傾斜する傾斜面に形成されている。【００５６】
これは、第１の先端面１０ｓにおける側方照明用レンズ６と第１の前方照明用レンズ１２との間の領域が平坦面に形成されていると、図３２に示すように、兼用レンズ５の観察範囲Ｔ２内に、先端部１０の外周縁部１０ｕが入り込んでしまう。このことから、通常、図３３に示すように、第１の先端面１０ｓは、外周縁部１０ｕが観察範囲Ｔ２に入り込んでしまうことがないよう、図３２の第１の先端面１０ｓに相当する図３３の２点鎖線によって示す第１の先端面１０ｓから、図３３の実線に示す第１の先端面１０ｓのように、後方に下げて位置させるのが一般的である。【００５７】
しかしながら、この図３３に示す構成においては、第１の先端面１０ｓを後方に下げた分だけ、硬質部材２０が挿入方向Ｓに長くなってしまい、内視鏡の操作性を低下させてしまうといった問題があった。【００５８】
そこで、図３４や図４に示すように、第１の先端面１０ｓにおける側方照明用レンズ６と第１の前方照明用レンズ１２との間の領域に傾斜面を形成した。このことによれば、図３３に示す第１の先端面１０ｓにおける側方照明用レンズ６と第１の前方照明用レンズ１２との間の領域が平坦面に形成された場合よりも、端部５ｔにおいて外周側面１ｖｇと仮想線Ｑとで形成する角度を大きくすることができる（β＜γ）。【００５９】
よって、図３４に示すように、観察範囲Ｔ２に外周縁部１０ｕが入り込まないまま、照明光を遮る開口端部２０ｍを、図３４においては一点鎖線で示す図３３の開口端部２０ｍよりも前方に位置させることができるため、第１の前方照明用レンズ１２を前方に位置させることができる。【００６０】
このことから、突出部１、先端部１０内に設けられた硬質部材２０の挿入方向Ｓにおける硬質長を短くすることができる。尚、この領域は、傾斜面に限らず、側方照明用レンズ６から第１の前方照明用レンズ１２に向かって階段状に傾斜する形状に形成されていても同様の効果を得ることができる。【００６１】
また、第１の先端面１０ｓにおいて、第１の前方照明用レンズ１２と先端部１０の外周縁部との間の領域も、図４に示すように傾斜面に形成されていることが好ましい。これは、この領域が傾斜面に形成されていないと、該領域が、兼用レンズ５の観察範囲Ｔ２内に入り込んでしまうためである。【００６２】
このように、本実施の形態においては、先端部１０の第１の先端面１０ｓにおいて、挿入方向Ｓに沿って形成された嵌入孔１０ｈの径方向Ｋの内側に位置する開口端部２０ｍは、第１の突出部１ｖの外周側面１ｖｇに臨む兼用レンズ５の受光面５ｊの先端側の端部５ｔと、第１の前方照明用レンズ１２におけるレンズ１２ａの径方向Ｋの外側の端部１２ａｔとを直線に結ぶ仮想線Ｑ上に位置していると示した。【００６３】
このことによれば、第１の前方照明用レンズ１２から照射された照明光は、開口端部２０ｍによって遮られるため、開口端部２０ｍにより、第１の前方照明用レンズ１２から照射された照明光が、兼用レンズ５の受光面５ｊに入光してしまうことが防がれていることから、図５の領域Ｂにおける兼用レンズ５によって撮像された観察画像に飛び込みフレアが発生してしまうことを防止することができる。【００６４】
また、開口端部２０ｍは、兼用レンズ５の観察範囲Ｔ２外に位置していることにより、兼用レンズ５の観察範囲が制限されてしまうことがない。【００６５】
さらに、開口端部２０ｍは、第１の前方照明用レンズ１２の照射範囲Ｐ１内に飛び出ることがないよう位置していることから、照射範囲Ｐ１を制限してしまうことがない。【００６６】
以上から、前方の被検部位に十分な照明光を供給できるとともに、周囲方向視野が制限させることなく、照明光の兼用レンズ５への入光を防ぐことができる構成を有する内視鏡１００を提供することができる。【００６７】
（第２実施の形態）
図６は、本実施の形態における内視鏡の挿入部の先端側を、前方からみた平面図、図７は、図６中のVII-VII線に沿う挿入部の先端側の部分断面図である。【００６８】
この第２実施の形態の内視鏡の構成は、上述した図１〜図５に示した第１実施の形態の内視鏡と比して、遮光部が、側方照明用レンズを保持するレンズ枠に形成されている点が異なる。よって、この相違点のみを説明し、第１実施の形態と同様の構成には同じ符号を付し、その説明は省略する。【００６９】
図６、図７に示すように、本実施の形態においては、側方照明用レンズ６は、第１の突出部１ｖ内に設けられたレンズ枠３０によって保持されることにより、外周側面１ｖｇよりも径方向Ｋの外側に飛び出て位置している。【００７０】
また、レンズ枠３０の径方向Ｋの外側に位置する端部３０ｔは、第１の突出部１ｖの外周側面１ｖｇに臨む兼用レンズ５の受光面５ｊの先端側の端部５ｔと、第１の前方照明用レンズ１２におけるレンズ１２ａの径方向Ｋの外側の端部１２ａｔとを直線に結ぶ上述した仮想線Ｑ上に位置していることにより、第１の前方照明用レンズ１２から照射された照明光が、兼用レンズ５に入光してしまうことが防がれている。【００７１】
言い換えれば、レンズ１２ａは、仮想線Ｑよりも後方に位置していることにより、端部３０ｔにより、第１の前方照明用レンズ１２から照射された照明光が、兼用レンズ５に入光してしまうことが防がれている。これは、第１の前方照明用レンズ１２から照射された照明光は、端部３０ｔによって遮られるためである。よって、本実施の形態においては、端部３０ｔは、遮光部を構成している。【００７２】
また、端部３０ｔは、第１の前方照明用レンズ１２の上述した照射範囲Ｐ１内に飛び出ないよう位置していることにより、端部３０ｔによって第１の前方照明用レンズ１２の照射範囲Ｐ１が制限されてしまうことが防がれている。【００７３】
以上より、レンズ枠３０により、兼用レンズ５から第１の前方照明用レンズ１２に向かって、挿入部９３の先端側は、階段状に傾斜する形状に形成されている。【００７４】
このような構成によっても、上述した第１実施の形態と同様の効果を得ることができる他、第１の前方照明用レンズ１２から照射された照明光を、レンズ枠３０の端部３０ｔで遮る構成により、第１実施の形態よりも側方照明用レンズ６と、第１の前方照明用レンズ１２との間の径方向Ｋの間隔を短くすることができる。【００７５】
言い換えれば、第１の前方照明用レンズ１２を、径方向Ｋにおいて側方照明用レンズ６側に位置させることができることから、第１実施の形態よりも挿入部９３の先端側の小径化を図ることができる。【００７６】
（第３実施の形態）
図８は、本実施の形態における内視鏡の挿入部の先端側を、前方からみた平面図、図９は、図８中のIX-IX線に沿う挿入部の先端側の部分断面図である。【００７７】
この第３実施の形態の内視鏡の構成は、上述した図６、図７に示した第２実施の形態の内視鏡と比して、側方照明用レンズと、第１の前方照明用レンズとが一体的に形成されている点が異なる。よって、この相違点のみを説明し、第２実施の形態と同様の構成には同じ符号を付し、その説明は省略する。【００７８】
図８、図９に示すように、本実施の形態においては、側方照明用レンズ６と、第１の前方照明用レンズ１２の先端レンズ１２ａとは、導光板３１が用いられることにより、前方側方兼用照明ユニット３２として一体的に形成されている。【００７９】
この構成においては、側方照明用レンズ６は、挿入方向Ｓの前方に向けて照明光を照射するようになっており、導光板３１により、第２の被検部位に向けて照明光の照射方向が変更される構成となっている。【００８０】
よって、第１の前方照明用レンズ１２用のライトガイド１４と、側方照明用レンズ６用のライトガイド１５とは、１つのライトガイド３４によって兼用することができる。【００８１】
尚、導光板３１は、第１の突出部１ｖ内に設けられたレンズ枠３０によって保持されている。導光板３１は、レンズ枠３０によって保持されることにより、外周側面１ｖｇよりも径方向Ｋの外側に飛び出て位置している。【００８２】
また、本実施の形態においても、レンズ枠３０の径方向Ｋの外側に位置する端部３０ｔは、第１の突出部１ｖの外周側面１ｖｇに臨む兼用レンズ５の受光面５ｊの先端側の端部５ｔと、第１の前方照明用レンズ１２におけるレンズ１２ａの径方向Ｋの外側の端部１２ａｔとを直線に結ぶ上述した仮想線Ｑ上に位置していることにより、第１の前方照明用レンズ１２から照射された照明光が、兼用レンズ５に入光してしまうことが防がれている。【００８３】
このような構成によっても、上述した第２実施の形態と同様の効果を得ることができる他、第１の前方照明用のライトガイドと側方照明用のライトガイドとが、１つから構成されていることから、側方照明用レンズ６と第１の前方照明用レンズ１２との間の径方向Ｋの間隔を無くすことができる。【００８４】
言い換えれば、第２実施の形態よりも第１の前方照明用レンズ１２を、径方向Ｋにおいて側方照明用レンズ６側に位置させることができることから、第２実施の形態よりも挿入部９３の先端側の小径化を図ることができる。【００８５】
尚、以下、変形例を、図１０〜図１２を用いて示す。図１０Ａは、図４の第１の前方照明用レンズを構成する基端側のレンズを、先端側のレンズよりも径方向内側にオフセットして位置させた変形例を、挿入部の先端側を前方からみて示す平面図であり、図１０Ｂは、図１０Ａ中のO1-02-E線に沿う部分断面図である。【００８６】
また、図１１は、図１０の第１の前方照明用レンズのオフセット前と後とでの照射範囲の変化を示す図、図１２は、図１０のオフセット前後での第１の前方照明用レンズの配光特性を示す図表である。【００８７】
上述した第１〜第３の実施の形態においては、第１の前方照明用レンズ１２は、２つのレンズ１２ａ、１２ｂから構成されていると示した。また、図４に示すように、レンズ１２ａとレンズ１２ｂとは、同軸上に配置されていると示した。【００８８】
これに限らず、図１０Ａ、図１０Ｂに示すように、レンズ１２ｂが、径方向Ｋの内側、即ち撮像素子２３が設けられている側に、αだけオフセットされて設けられていても構わない。【００８９】
このことによれば、図１１に示すように、オフセット後のレンズ１２ｂから照射された照明光は、レンズ１２ａの基端面１２ａｂにおいて屈折するため、レンズ１２ａから照射される照明光の配光ピークがずれる。このことから、径方向Ｋの内側方向に照射される照明光のレンズ１２ａからの照射角度θ１’が、オフセット前の照射角度θ１よりも小さくなるため（θ１’＜θ１）、図１１に示す斜線の分だけ、径方向Ｋの内側に照射される照明光の成分をカットすることができる。【００９０】
また、第１の前方照明用レンズ１２の配光特性は、中心に配光ピークを有するよう設定されているが、図１２に示すように、オフセット前よりも、実線で示すように配光ピークを、Ｅ側、即ち先端部１０の径方向Ｋの外側にずらすことができる。【００９１】
以上から、レンズ１２ｂが、レンズ１２ａに対して、径方向内側にオフセットして配置されておれば、第１の前方照明用レンズ１２から照射された照明光は、兼用レンズ５側に照射される照射範囲が制限されるとともに、配光ピークは、径方向Ｋの外側にずれるため、第１実施の形態〜第３実施の形態の構成の効果に加え、より兼用レンズ５に照明光が入光されてしまうことを防止することができる。【００９２】
尚、以下、その他の変形例を、図１３、図１４を用いて示す。図１３は、図４の第１の前方照明用レンズの先端側のレンズを、屈曲率の異なる２つのレンズで構成した変形例を、配光特性とともに示す図、図１４は、図４の先端側のレンズの基端面が斜面状にカットされている変形例を示す図である。【００９３】
図１３に示すように、第１の前方照明用レンズ１２の先端側のレンズ１２ａを、中心軸に対して、径方向内側、即ち撮像素子２３側のレンズ１２ａ２よりも径方向外側、即ち先端部１０の外周縁部側のレンズ１２ａ１に屈折率が高いものを用い、各レンズ１２ａ１、１２ａ２の外周面に光吸収材１２ａｋが、コーティング等によって形成されておれば、レンズ１２ａ２側に抜ける光線が、β面での屈折によりO2側に抜けることにより、実質的にレンズ１２ａ２側に抜ける光線の成分がカットされる。【００９４】
さらに、レンズ１２ａ１とレンズ１２ａ２の屈折率の差により、配光ピークは、図１０〜図１２の構成と同様にＥ側にシフトすることから、兼用レンズ５に入光してしまう光の成分を低減させることができるとともに、第１実施の形態〜第３実施の形態の構成とともに用いると、より効果的に兼用レンズ５への入光を防ぐことができる。【００９５】
尚、以上のことは、図１４に示すように、レンズ１２ａの基端面１２ａｂが斜面状にカットされていても、図１３と同様の効果を得ることができる。【００９６】
ところで、上述した前方観察用レンズ７と、兼用レンズ５と、複数のレンズ２２とを具備する構成において、上述した第１〜第３実施の形態においては省略して示したが、通常、各レンズ７、５は、硬質部材２０内に設けられたレンズ枠内に保持されるのが一般的である。【００９７】
しかしながら、兼用レンズ５は、外周側面１ｖｇに臨む周状の受光面５ｊにて、第２の被検部位を観察する構成であることから、レンズ枠内に兼用レンズ５を入れてしまうと、レンズ枠により受光面５ｊが塞がれてしまう。【００９８】
また、兼用レンズ５は、前方観察用レンズ７よりも径方向Ｋの外径が大きく形成されていることから、仮にレンズ枠の受光面５ｊに対向する部位を切り欠いたとしても、１つのレンズ枠に、前方観察用レンズ７、兼用レンズ５、レンズ２２を固定するのは組立上難しい。【００９９】
よって、従来は、前方観察用レンズ７を保持する前側のレンズ枠と、レンズ２２を保持する後側のレンズ枠とを用いて、兼用レンズ５を挿入方向Ｓに沿って前後に挟持し、兼用レンズ５を、前側レンズ枠及び後側レンズ枠に接着することによって２つのレンズ枠に固定していた。【０１００】
ところが、この固定構造では、１つのレンズ枠に各種レンズを固定する構成よりも固定力が弱い他、兼用レンズ５は、第１の突出部１ｖ内に設けられていることから、通常の直視型内視鏡や側視型内視鏡よりも、第１の突出部１ｖは外力を受けやすく、該外力を受けてしまうと、兼用レンズ５が、前側レンズ枠及び後側レンズ枠から剥離しやすくなってしまうといった問題があった。【０１０１】
以下、このような問題を解決する構成について、図１５〜図１８を用いて示す。図１５は、硬質部材の先端に径方向内側に突出する突出部を設け、該突出部に前側レンズ枠を突き当てて前側レンズ枠の位置を固定することにより、前側レンズ枠に対して兼用レンズを固定する構造を概略的に示す部分断面図である。【０１０２】
また、図１６は、先端カバーの先端に径方向内側に突出する突出部を設け、該突出部に前側レンズ枠を突き当てて前側レンズ枠の位置を固定することにより、前側レンズ枠に対して兼用レンズを固定する構造を概略的に示す部分断面図である。【０１０３】
また、図１７は、図１５の硬質部材の突出部に対して、前側レンズ枠のフランジを押し付けることにより、前側レンズ枠を固定する構造を概略的に示す断面図、図１８は、図１７中のXVIII-XVIII線に沿う後側レンズ枠、側方照明用レンズ、側方照明用レンズの固定部材の断面図である。【０１０４】
図１５に示すように、第１の突出部１ｖ内において、前方観察用レンズ７は、硬質部材２０内に設けられた前側レンズ枠４２に保持されており、該前側レンズ枠４２内に、兼用レンズ５の前方に突出する突出部５ｑが、挿入方向Ｓに沿って嵌合長Ｌ２にて、例えば接着により嵌合固定されている。【０１０５】
また、兼用レンズ５の基端側の外周には、硬質部材２０内に設けられた後側レンズ枠４０が、挿入方向Ｓに沿って嵌合長Ｌ３にて、例えば接着により嵌合固定されており、該後側レンズ枠４０内に設けられたレンズ枠２１に、複数のレンズ２２が固定されている。尚、後側レンズ枠４０は、硬質部材２０に対して、固定部材４３にて固定されている。【０１０６】
ここで、本構成においては、硬質部材２０の先端側に、径方向Ｋの内側、具体的には前方観察用レンズ７側に向けて突出する突出部２０ｄが設けられている。【０１０７】
尚、突出部２０ｄの突出端は、前側レンズ枠４２の外周面に突き当てられている。また、突出部２０ｄと前側レンズ枠４２の基端側に形成されたフランジ４２ｆとの間には、挿入方向Ｓに沿ってＬ１の間隙が形成されている。尚、間隙Ｌ１は、嵌合長Ｌ２、Ｌ３よりも小さく設定されている。【０１０８】
このような構成によれば、仮に前側レンズ枠４２、後側レンズ枠４０に対して、兼用レンズ５の接着が剥離したとしても、前側レンズ枠４２は、突出部２０ｄによって、挿入方向Ｓに移動が制限されていることにより、前側レンズ枠４２に対する兼用レンズ５の突出部５ｑの嵌合が外れてしまうことがない。【０１０９】
よって、兼用レンズ５が、前側レンズ枠４２から滑落してしまうことを防ぐことを確実に防ぐことができる。【０１１０】
尚、以上の構成は、硬質部材２０の突出部２０ｄに限らず、硬質部材２０の外周に被覆される先端カバー４４の突出部４４ｄを用いて行っても構わない。【０１１１】
具体的には、図１６に示すように、硬質部材２０の外周に被覆される先端カバー４４の先端側に、径方向Ｋの内側、具体的には前方観察用レンズ７側に向けて突出する突出部４４ｄが設けられている。尚、本構成においては、硬質部材２０の先端には、突出部２０ｄは設けられていない。【０１１２】
また、突出部４４ｄの突出端は、前側レンズ枠４２の外周面に突き当てられている。また、突出部４４ｄと前側レンズ枠４２のフランジ４２ｆとの間には、挿入方向Ｓに沿ってＬ１の間隙が形成されている。尚、間隙Ｌ１は、図１５同様、嵌合長Ｌ２、Ｌ３よりも小さい大きさに設定されている。【０１１３】
このような構成によれば、仮に前側レンズ枠４２、後側レンズ枠４０に対して、兼用レンズ５の接着が剥離したとしても、前側レンズ枠４２は、突出部４４ｄによって、挿入方向Ｓに移動が制限されていることにより、前側レンズ枠４２に対する兼用レンズ５の突出部５ｑの嵌合が外れてしまうことがない。【０１１４】
よって、兼用レンズ５が、前側レンズ枠４２から滑落してしまうことを防ぐことを確実に防ぐことができる。【０１１５】
尚、図１６に示す構成においては、兼用レンズ５の後端面に段差部５ｘが形成されおり、該段差部５ｘに後側レンズ枠４０が嵌合される構成となっている。このような構成によれば、図１５に示す構成によりも、挿入部９３の先端側を小径化することができる。【０１１６】
また、別の固定構造として、図１７に示すように、後側レンズ枠４０の外周に固定された側方照明用レンズ６の固定部材４５に対して、径方向Ｋの外側からビス４９が締め付けられることにより、固定部材４５の受け面に形成された傾斜面と、ビス４９の先端面に形成された傾斜面との面接触により、固定部材４５が挿入方向前方に移動することによって、該固定部材４５を、側方照明用レンズ６や後側レンズ枠４０のフランジ４０ｆに押し付け、さらに前側レンズ枠４２のフランジ４２ｆを、硬質部材２０の上述した突出部２０ｄに押し付ける構造を用いても良い。【０１１７】
このことによれば、前側レンズ枠４２、後側レンズ枠４０に対する兼用レンズ５の接着面に挿入方向Ｓに沿って圧縮力が生じることにより、前側レンズ枠４２、後側レンズ枠４０に対して兼用レンズ５の接着力が強化されることから、ビス４９を用いる簡単な構成により、兼用レンズ５の固定を強固にすることができる他、部品点数の削減を図ることができる。【０１１８】
また、図１８に示すように、側方照明用レンズ６は、固定部材４５に対して爪部６ｈによって固定される構成とすれば、側方照明用レンズ６の脱落も防止することができる。【０１１９】
ところで、上述したように、兼用レンズ５は、挿入部の先端部から前方に突出した突出部内において、前側レンズ枠と後側レンズ枠とによって挟持されることにより固定されている。さらに、各レンズ枠の絶縁性を保つため、各レンズ枠の外周は、樹脂カバーによって覆われている構成も周知である。【０１２０】
しかしながら、通常、後側レンズ枠は、兼用レンズ５の基端側の外周に嵌合されているため、兼用レンズ５の受光面５ｊと後側レンズ枠の嵌合部位との間の段差、さらには兼用レンズ５の受光面５ｊと後側レンズ枠の外周に被覆された樹脂カバーとの段差の角部に、粘液や塵埃が溜まりやすくなってしまっているといった問題があり、この場合、粘液や塵埃等が兼用レンズ５の視野範囲内に入ってしまうといった問題があった。【０１２１】
以下、このような問題を解決する構成を、図１９、図２０を用いて示す。図１９は、兼用レンズの基端側に、後側レンズ枠及び樹脂カバーを段差なく固定する構成を概略的に示す部分断面図、図２０は、兼用レンズの受光面に無効視野領域を設けた構成を概略的に示す部分断面図である。【０１２２】
図１９に示すように、兼用レンズ５の後側には、段差部５ｘが形成されており、該段差部５ｘに、複数のレンズ２２を保持するレンズ枠２１を保持する後側レンズ枠４０と、該レンズ枠４０の外周に被覆された樹脂カバー８８とが嵌合されている。尚、樹脂カバー８８の外表面は、兼用レンズ５の受光面５ｊと同じ高さとなっている。【０１２３】
即ち、兼用レンズ５の径方向Ｋの外径をＶ１とし、兼用レンズ５の基端側の後側レンズ枠４０が嵌合される部位の径方向Ｋの外径をＶ２とし、樹脂カバー８８の径方向Ｋの外径をＶ３とし、後側レンズ枠２１の径方向Ｋの外径をＶ４とすると、Ｖ１＞Ｖ２となることによって、段差部５ｘが形成され、Ｖ１＞Ｖ４、Ｖ１＝Ｖ３となることにより、樹脂カバー８８の外表面は、兼用レンズ５の受光面５ｊと同じ高さの面となる。【０１２４】
よって、兼用レンズ５の受光面５ｊと樹脂カバー８８との間に段差が生じなくなることから、上述したように、段差に粘液や塵埃等が溜まってしまうことがなくなる。【０１２５】
また、図２０に示すように、仮に、兼用レンズ５の基端に後側レンズ枠４０と、樹脂カバー８８とが、Ｘ３の嵌合長で嵌合された後、兼用レンズ５と後側レンズ枠４０及び樹脂カバー８８との間に段差が生じてしまったとしても、兼用レンズ５の受光面５ｊの先端側に有効視野領域Ｘ１を設け、該領域Ｘ１の基端側に、受光面５ｊを黒く塗る等により無効視野領域Ｘ２を設け、嵌合長Ｘ３が領域Ｘ２よりも挿入方向Ｓに小さくなるよう、兼用レンズ５に後側レンズ枠４０を嵌合させる。このことによれば、仮に兼用レンズ５と、後側レンズ枠４０及び樹脂カバー８８との間に段差に粘液や塵埃等が溜まってしまったとしても、これらの粘液や塵埃等が溜まってしまう領域は、無効視野領域Ｘ２であることから、兼用レンズ５の視野範囲内に粘液や塵埃等が入ってしまうことがない。【０１２６】
以上、図１９、図２０に示した構成により、兼用レンズ５の良好な視野を確保することができる。【０１２７】
図２１Ａは、従来の兼用レンズに流体を供給するノズルの配置位置を、兼用レンズが設けられた挿入部の先端側にて示す斜視図、図２１Ｂは、図２１Ａの上面図、図２１Ｃは、図２１Ａの内視鏡挿入部によって観察される観察画像を示す図である。【０１２８】
また、図２２Ａは、第１の突出部の外周側面と第２の突出部の外周側面との間の部位に凹みを設けた場合のノズルの配置位置を、兼用レンズが設けられた挿入部の先端側にて示す斜視図、図２２Ｂは、図２２Ａの上面図、図２２Ｃは、図２２Ａの内視鏡挿入部によって観察される観察画像を示す図である。【０１２９】
さらに、図２３Ａは、第２の突出部の外周側面において、ノズルを図２０よりも径方向外側に設けた場合のノズルの配置位置を、兼用レンズが設けられた挿入部の先端側にて示す斜視図、図２３Ｂは、図２３Ａの上面図、図２３Ｃは、図２３Ａの内視鏡挿入部によって観察される観察画像を示す図である。【０１３０】
ところで、上述した兼用レンズ５を有する内視鏡１００において、兼用レンズ５の受光面５ｊは、第２の突出部１ｗの外周側面１ｗｇに複数設けられた、兼用レンズ５の受光面５ｊに流体を供給するノズル４によって洗浄されるようになっている。【０１３１】
しかしながら、図２１Ａ、図２１Ｂに示すように、第２の突出部１ｗの外周側面１ｗｇにおいて、兼用レンズ５の受光面５ｊに確実に流体を供給するため、ノズル４を、径方向Ｋにおいて、兼用レンズ５の受光面５ｊの接線Ｈに沿った位置に設けると、図２１Ｂの太線Ｚ１に示すように、第２の突出部１ｗにおいて兼用レンズ５の受光面５ｊを隠してしまう領域が大きくなってしまう。【０１３２】
ここで、図２１Ｃに示すように、兼用レンズ５によって撮像された第２の被検部位の像は、モニタ上において、領域Ｂに示すように、完全な環状とはならず、第２の突出部１ｗによって隠された領域Ｃ１だけ非表示となる。【０１３３】
よって、第２の突出部１ｗが兼用レンズ５の受光面５ｊを隠す領域が大きくなってしまうと、領域Ｃ１が大きくなってしまう、即ち、領域Ｂが小さくなってしまい、第２の被検部位の観察画像が小さくなってしまうといった問題があった。【０１３４】
そこで、図２２Ａ、図２２Ｂに示すように、径方向Ｋにおいて、第１の突出部１ｖの外周側面１ｖｇと第２の突出部１ｗの外周側面１ｗｇとが接する部位に凹み１ｄを設け、図２２Ｂの太線Ｚ２に示すように、第２の突出部１ｗにおいて兼用レンズ５の受光面５ｊを隠してしまう領域を小さくする。このことにより（Ｚ２＜Ｚ１）、ノズル４が、径方向Ｋにおいて兼用レンズ５の受光面５ｊの接線Ｈに沿った位置に設けられていても、図２２Ｃに示すように、第２の被検部位の観察画像において、第２の突出部１ｗによって隠された領域Ｃ２を、図２１の構成よりも小さくする構成も考えられる（Ｃ２＜Ｃ１）。【０１３５】
しかしながら、図２２の構成では、図２２Ｃに示すように、凹み１ｄにより、兼用レンズ５による観察画像に、ノズル４が映り込んでしまうといった問題があった。【０１３６】
そこで、図２３Ａ、図２３Ｂに示すように、凹み１ｄを形成したまま、第２の突出部１ｗの外周側面１ｗｇにおいて、ノズル４が設けられる位置を、図２０よりも径方向Ｋの外側にずらした。即ち、ノズル４を、兼用レンズ５の観察範囲Ｔ２外に配置した。【０１３７】
このような構成によれば、第２の突出部１ｗにおいて兼用レンズ５の受光面５ｊを隠してしまう領域を、図２２と同様に小さくすることができ（Ｚ２＜Ｚ１）、ノズル４が、径方向Ｋにおいて兼用レンズ５の受光面５ｊの接線Ｈに沿った位置に設けられていても、図２３Ｃに示すように、第２の被検部位の観察画像において、第２の突出部１ｗによって隠された領域Ｃ２を、図２１の構成よりも小さくすることができ（Ｃ２＜Ｃ１）、さらに、ノズル４が観察画像に映り込んでしまうことを防止することができる。【０１３８】
図２４は、前方観察用レンズ及び兼用レンズによって観察される観察画像を示す図である。【０１３９】
ところで、上述したように、前方観察用レンズ７によって観察された画像は、図２４に示すように、円形の領域Ａとして表示され、兼用レンズ５によって観察された画像は、領域Ａの周りに環状の領域Ｂとして表示される。尚、図２４においては、第２の突出部１ｗによって隠される領域Ｃは省略して示してある。【０１４０】
しかしながら、領域Ｂは、領域Ａに隣接して表示されるため、領域Ａと領域Ｂとの境付近に表示される特定の関心領域は、前方観察用レンズ７によって観察された前方視野の画像なのか、兼用レンズ５によって観察された周囲方向視野の画像なのか判別できず、即ち、領域Ａと領域Ｂとの境が判別できず、関心領域が第１の被検部位に位置しているのか第２の被検部位に位置しているのかの判断し難いといった問題があった。【０１４１】
よって、例えば第２の被検部位に位置している関心領域に兼用レンズ５を近接させる際、操作者が、第１の被検部位に位置していると観察画像から誤認してしまうと、関心領域に前方観察用レンズ７を近接させるため、挿入部９３を挿入方向Ｓの前方に押し進めてしまうため、その結果、本来近接させる対象となる兼用レンズ５が関心領域から遠ざかってしまうといった問題があった。【０１４２】
以下、このような問題を解決する構成について、図２５〜図２８を用いて説明する。図２５は、観察画像の前方観察用レンズによって撮像された画像を表示する領域と、兼用レンズによって撮像された画像を表示する領域との間に、境界線を設けた例を示す図、図２６は、前方視野角よりも側方視野角を小さくすることによって、境界線を形成する構成を示す挿入部先端側の部分断面図である。【０１４３】
また、図２７は、マスクにより、境界線を形成する構成を示す挿入部先端側の部分断面図、図２８は、観察画像に、電気的に境界線を形成する構成を示すブロック図である。【０１４４】
図２６に示すように、通常、前方観察用レンズ７の基端面には、絞り７２が設けられ、兼用レンズ５の先端面には、受光面から入光された光を撮像素子２３側に反射させるミラーコート７１が形成されているが、絞り７２によって制限される前方視野角θ５が、ミラーコート７１の内径により制限される側方視野角θ６よりも小さくなるように構成する（θ５＜θ６）。【０１４５】
このことにより、絞り７２及びミラーコート７１により、撮像素子２３に対し、前方視野も周囲方向視野も入光されない領域が形成される。その領域が、図２５に示すように、観察画像において、真っ黒な境界線６０として表示される。【０１４６】
このことによれば、操作者は、観察画像から、境界線６０より内側に位置する関心領域は、第１の被検部位に位置していると判断でき、外側に位置する関心領域は、第２の被検部位に位置していると容易に判断できることから、内視鏡１００の操作性が向上する。【０１４７】
尚、境界線６０は、図２７に示すように、兼用レンズ５の基端面にマスク７４を設けることにより形成しても構わない。【０１４８】
さらには、境界線６０は、内視鏡１００のコネクタ９６が接続される光源装置に電気的に接続された既知のビデオプロセッサ７５内において、撮像素子２３によって撮像された内視鏡画像を生成する内視鏡画像生成手段７６から出力された内視鏡画像に、境界線生成手段７７によって生成された境界線を、重畳手段７８によって電気的に重畳させることにより形成しても構わない。【０１４９】
図２９は、前方観察用レンズ及び兼用レンズによって観察される観察画像において、関心領域が、前方観察用レンズによって撮像された画像を表示する領域と兼用レンズによって撮像された画像を表示する領域とにまたがって位置する表示例を示す図である。【０１５０】
また、図３０は、図２９の観察画像において、前方観察用レンズによって撮像された画像を表示する領域と、兼用レンズによって撮像された画像を表示する領域との間に境界線を設け、該境界線に関心部位がまたがって位置する表示例を示す図である。【０１５１】
ところで、上述したように、前方観察用レンズ７によって観察された画像は、図２９に示すように、円形の領域Ａとして表示され、兼用レンズ５によって観察された画像は、領域Ａの周りに環状の領域Ｂとして表示される。尚、図２９においても、第２の突出部１ｗによって隠される領域Ｃは省略して示してある。【０１５２】
しかしながら、領域Ｂは、領域Ａに隣接して表示されるため、領域Ａと領域Ｂとの境付近に表示される特定の関心領域は、前方観察用レンズ７によって観察された画像なのか、兼用レンズ５によって観察された画像なのか判別できず、即ち、領域Ａと領域Ｂとの境が判別できず、関心領域が第１の被検部位の位置しているのか第２の被検部位に位置しているのか判断し難いといった問題があった。【０１５３】
そこで、上述した図２４〜図２８に示すように、領域Ａと領域Ｂとの間に境界線６０を設けてしまうと、図３０に示すように、領域Ａと領域Ｂとの間に関心領域７０がまたがって位置していると、関心領域７０が境界線６０によって分断されてしまい、今度は関心領域７０の観察がし難くなってしまうといった問題があった。【０１５４】
以下、このような問題を解決する構成について、上述した図２６と、図３１を用いて説明する。図３１は、観察画像から電気的に境界線を削除する構成を示すブロック図である。【０１５５】
上述したように、前方観察用レンズ７の前方視野角θ５は、絞り７２の内径によって規定され、兼用レンズ５の側方視野角θ６は、ミラーコート７１の内径によって規定されるが、絞り７２によって規定される前方視野の入射光径よりも、ミラーコート７１によって反射される周囲方向視野の反射内径が小さくなるようミラーコート７１の内径が規定されておれば、即ち、ミラーコート７１の内径を絞り７２の内径よりも狭めることにより、周囲方向視野は、前方視野に重畳されることから、図２９に示すように、領域Ａと領域Ｂとの間に境界線６０が発生しなくなる。【０１５６】
よって、関心領域７０が領域Ａと領域Ｂとにまたがって位置していても関心領域７０の観察性が損なわれることが無い。【０１５７】
尚、境界線６０を消す他の構成としては、前方視野の入射光径とミラーコート７１により反射される反射内径が一致するよう、即ち、前方視野角θ５に対して側方視野角θ６が重畳するよう、絞り７２とミラーコート７１の内径を定める構成が考えられる。【０１５８】
この構成によれば、前方視野に対して周囲方向視野が重畳されるため、図２９に示すように、領域Ａと領域Ｂとの間に境界線６０が発生しなくなる。【０１５９】
さらに、境界線６０を消す他の構成としては、図３１に示すように、ビデオプロセッサ７５内に設けられた、前方視野画像外周と周囲方向視野内周とを一致させる画像調整手段８１により、電気的に境界線６０を消しても構わない。【０１６０】
本出願は、２０１０年７月８日に日本国に出願された特願２０１０−１５６１５５号を優先権主張の基礎として出願するものであり、上記の内容は、本願明細書、請求の範囲、図面に引用されたものである。
【図１】
2012005049.tif 000003
【図２】
2012005049.tif 000004
【図３】
2012005049.tif 000005
【図４】
2012005049.tif 000006
【図５】
2012005049.tif 000007
【図６】
2012005049.tif 000008
【図７】
2012005049.tif 000009
【図８】
2012005049.tif 000010
【図９】
2012005049.tif 000011
【図１０Ａ】
2012005049.tif 000012
【図１０Ｂ】
2012005049.tif 000013
【図１１】
2012005049.tif 000014
【図１２】
2012005049.tif 000015
【図１３】
2012005049.tif 000016
【図１４】
2012005049.tif 000017
【図１５】
2012005049.tif 000018
【図１６】
2012005049.tif 000019
【図１７】
2012005049.tif 000020
【図１８】
2012005049.tif 000021
【図１９】
2012005049.tif 000022
【図２０】
2012005049.tif 000023
【図２１Ａ】
2012005049.tif 000024
【図２１Ｂ】
2012005049.tif 000025
【図２１Ｃ】
2012005049.tif 000026
【図２２Ａ】
2012005049.tif 000027
【図２２Ｂ】
2012005049.tif 000028
【図２２Ｃ】
2012005049.tif 000029
【図２３Ａ】
2012005049.tif 000030
【図２３Ｂ】
2012005049.tif 000031
【図２３Ｃ】
2012005049.tif 000032
【図２４】
2012005049.tif 000033
【図２５】
2012005049.tif 000034
【図２６】
2012005049.tif 000035
【図２７】
2012005049.tif 000036
【図２８】
2012005049.tif 000037
【図２９】
2012005049.tif 000038
【図３０】
2012005049.tif 000039
【図３１】
2012005049.tif 000040
【図３２】
2012005049.tif 000041
【図３３】
2012005049.tif 000042
【図３４】
2012005049.tif 000043
【手続補正書】
【提出日】平成23年12月19日(2011.12.19)
【手続補正１】
【補正対象書類名】明細書
【補正対象項目名】００１８
【補正方法】変更
【補正の内容】
【００１８】
本発明の一態様における内視鏡は、被検体内に挿入される挿入部と、前記挿入部の挿入方向先端側の先端部の第１の先端面から、前記挿入方向前方に突出した突出部と、前記突出部内において、該突出部の前記挿入方向先端側の第２の先端面に臨むよう設けられた、前記第２の先端面よりも前記挿入方向前方に位置する前記被検体の第１の被検部位を観察する前方観察用レンズと、前記突出部内において、前記前方観察用レンズよりも前記挿入方向後方において受光面が前記突出部の外周側面に沿って臨むよう設けられた、前記前方観察用レンズとともに前記第１の被検部位を観察するとともに、前記外周側面の周囲に対向して位置する前記被検体の第２の被検部位を観察する前方側方観察兼用レンズと、前記先端部において、前記第１の先端面に臨むよう設けられた前記第１の被検部位を照明する第１の前方照明用レンズと、前記外周側面に臨む前記前方側方観察兼用レンズの前記挿入方向先端側の端部と、前記第１の前方照明用レンズにおける前記先端部の径方向外側の端部とを直線に結ぶ仮想線上に位置する、前記第１の前方照明用レンズから照射された照明光が、前記前方側方観察兼用レンズの前記受光面に入光してしまうのを防止する遮光部と、具備し、前記第１の前方照明用レンズは、前記第１の先端面において、前記挿入方向に沿って形成された嵌入孔内に嵌入されて位置しているとともに、前記遮光部は、前記嵌入孔の前記径方向内側に位置する開口端部に構成されており、前記第１の先端面は、前記突出部から前記第１の前方照明用レンズに向かって傾斜する傾斜面に形成されている。
【手続補正２】
【補正対象書類名】特許請求の範囲
【補正対象項目名】全文
【補正方法】変更
【補正の内容】
【特許請求の範囲】
【請求項１】
被検体内に挿入される挿入部と、
前記挿入部の挿入方向先端側の先端部の第１の先端面から、前記挿入方向前方に突出した突出部と、
前記突出部内において、該突出部の前記挿入方向先端側の第２の先端面に臨むよう設けられた、前記第２の先端面よりも前記挿入方向前方に位置する前記被検体の第１の被検部位を観察する前方観察用レンズと、
前記突出部内において、前記前方観察用レンズよりも前記挿入方向後方において受光面が前記突出部の外周側面に沿って臨むよう設けられた、前記前方観察用レンズとともに前記第１の被検部位を観察するとともに、前記外周側面の周囲に対向して位置する前記被検体の第２の被検部位を観察する前方側方観察兼用レンズと、
前記先端部において、前記第１の先端面に臨むよう設けられた前記第１の被検部位を照明する第１の前方照明用レンズと、
前記外周側面に臨む前記前方側方観察兼用レンズの前記挿入方向先端側の端部と、前記第１の前方照明用レンズにおける前記先端部の径方向外側の端部とを直線に結ぶ仮想線上に位置する、前記第１の前方照明用レンズから照射された照明光が、前記前方側方観察兼用レンズの前記受光面に入光してしまうのを防止する遮光部と、
具備し、
前記第１の前方照明用レンズは、前記第１の先端面において、前記挿入方向に沿って形成された嵌入孔内に嵌入されて位置しているとともに、前記遮光部は、前記嵌入孔の前記径方向内側に位置する開口端部に構成されており、
前記第１の先端面は、前記突出部から前記第１の前方照明用レンズに向かって傾斜する傾斜面に形成されている内視鏡。
【請求項２】
前記突出部内において、前記第２の先端面に臨むよう設けられた、前記第１の被検部位を照明する第２の前方照明用レンズをさらに具備している請求項１に記載の内視鏡。
【請求項３】
前記突出部内において、前記前方側方観察兼用レンズよりも前記挿入方向後方において前記突出部の前記外周側面に臨むよう設けられた、前記第２の被検部位を照明する側方照明用レンズをさらに具備し、
前記側方照明用レンズは、レンズ枠に固定されており、該レンズ枠に、前記遮光部が構成されている請求項１または２に記載の内視鏡。
【請求項４】
前記第１の前方照明用レンズは、前記側方照明用レンズと一体的に形成されている請求項３に記載の内視鏡。
【請求項５】
前記挿入部内に挿通された、前記第１の前方照明用レンズに前記照明光を供給するライトガイドと、前記側方照明用レンズに照明光を供給するライトガイドとは、一体的に形成されている請求項４に記載の内視鏡。
【請求項６】
前記第１の前方照明用レンズは、前記第１の先端面に臨む第１のレンズと、該第１のレンズよりも前記挿入方向の後方に位置するとともに前記第１の前方照明用レンズに前記照明光を供給するライトガイドの出射端面に対向する第２のレンズとを具備し、
前記第２のレンズは、前記第１のレンズに対して、前記先端部の前記径方向内側にオフセットされて配置されている請求項１〜３のいずれか１項に記載の内視鏡。
【国際調査報告】
2012005049.tif 000044
2012005049.tif 000045
2012005049.tif 000046
2012005049.tif 000047